(57)【要約】【課題】リレーにおいて接点の冷却効率を向上させる。【解決手段】第１固定端子は、第１接点支持部と、第１延在部と、第１中間部と、第１外部接続部とを含む。第１接点支持部は、ケース内に配置され、第１固定接点を支持する。第１延在部は、ケース内に配置され、第１方向に延びる。第１方向は、第１可動接点から第２可動接点に向かう方向である。第１外部接続部は、第１延在部に接続され、ケースの外部に配置される。第１中間部は、第１接点支持部と第１延在部とを接続し、第１接点支持部から第１延在部に向かって折り返された形状を有する。第１中間部の少なくとも一部は、ケースの外部に露出するように配置される。【選択図】図３
2019179691.tif 000002
【特許請求の範囲】
【請求項１】
ケースと、
第１固定接点を含む第１固定端子と、
第２固定接点を含む第２固定端子と、
前記第１固定接点に対向して配置された第１可動接点と、前記第２固定接点に対向して配置された第２可動接点とを含み、前記ケース内に配置され、前記第１可動接点及び前記第２可動接点が前記第１固定接点及び前記第２固定接点に対して接触する方向および開離する方向に移動可能に配置された可動接触片と、
を備え、
前記第１固定端子は、
前記ケース内に配置され、前記第１固定接点を支持する第１接点支持部と、
前記ケース内に配置され、前記第１可動接点から前記第２可動接点に向かう第１方向に延びる第１延在部と、
前記第１延在部に接続され、前記ケースの外部に配置された第１外部接続部と、
前記第１接点支持部と前記第１延在部とを接続し、前記第１接点支持部から前記第１延在部に向かって折り返された形状を有する第１中間部と、
を含み、
前記第１中間部の少なくとも一部は、前記ケースの外部に露出するように配置される、
リレー。
【請求項２】
前記第１中間部は、第１平坦面を含み、
前記第１平坦面は、前記ケースの外部に露出するように配置される、
請求項１に記載のリレー。
【請求項３】
前記第１平坦面は、前記ケースの外側面から、前記外側面に交差する方向に延びている、
請求項２に記載のリレー。
【請求項４】
前記第１平坦面は、前記外部接続部と面一に配置される、
請求項３に記載のリレー。
【請求項５】
前記第１中間部は、前記ケースの外側面から外部に露出しており、
前記第１平坦面は、前記外側面に沿って配置される、
請求項２に記載のリレー。
【請求項６】
前記第１固定端子は、
前記第１接点支持部を含む第１固定接触片と、
前記第１延在部を含み、前記第１固定接触片と別体の第１バスバーと、
を含み、
前記第１中間部は、
前記固定接触片と一体に形成された第１取付部と、
前記第１バスバーと一体に形成され、前記第１取付部に取り付けられた第２取付部と、
を含み、
前記第１取付部と前記第２取付部とは、前記ケースの外部に露出するように配置される、
請求項１から５のいずれかに記載のリレー。
【請求項７】
前記第１延在部は、前記第１方向において前記第１固定接点を越える位置まで延びている、
請求項１から６のいずれかに記載のリレー。
【請求項８】
前記第１延在部は、前記第１方向において前記第２固定接点を越える位置まで延びている、
請求項１から７のいずれかに記載のリレー。
【請求項９】
前記第１延在部は、前記ケースに埋め込まれている、
請求項１から８のいずれかに記載のリレー。
【請求項１０】
前記第１延在部は、前記ケース内の収納空間に配置されている、
請求項１から８のいずれかに記載のリレー。
【請求項１１】
前記第２固定端子は、
前記ケース内に配置され、前記第２固定接点を支持する第２接点支持部と、
前記ケース内に配置され、前記第２可動接点から前記第１可動接点に向かう第２方向に延びる第２延在部と、
前記第２延在部に接続され、前記ケースの外部に配置された第２外部接続部と、
前記第２接点支持部と前記第２延在部とを接続する第２中間部と、
を含み、
前記第２中間部の少なくとも一部は、前記ケースの外部に露出するように配置される、
請求項１から１０のいずれかに記載のリレー。
【請求項１２】
前記第１中間部は、前記ケースの外部に露出するように配置された第１平坦面を含み、
前記第２中間部は、前記ケースの外部に露出するように配置された第２平坦面を含み、
前記第１平坦面と前記第２平坦面とは同じ高さに位置する、
請求項１１に記載のリレー。
【請求項１３】
前記第１中間部は、前記ケースの外部に露出するように配置された第１平坦面を含み、
前記第２中間部は、前記ケースの外部に露出するように配置された第２平坦面を含み、
前記第１平坦面と前記第２平坦面とは、面一に配置される、
請求項１１又は１２に記載のリレー。
【発明の詳細な説明】
【技術分野】
【０００１】
本発明は、リレーに関する。
【背景技術】
【０００２】
リレーは、可動接点を含む可動接触片と、固定接点を含む固定端子とを備えている。可動接触片が動作して可動接点が固定接点に対して接触、或いは開離することで、接点が開閉される。従来のリレーには、固定端子がリレーのケース内において折り返された形状を有するものがある。例えば、特許文献１に記載の電磁接触器では、固定端子は、Ｃ字状部を有している。Ｃ字状部は、ケース内に配置されており、ケースの外部に配置された外部接続部に接続されている。
【先行技術文献】
【特許文献】
【０００３】
【特許文献１】特開２０１４−０９９３７３号公報
【発明の概要】
【発明が解決しようとする課題】
【０００４】
リレーでは、通電により接点において発熱する。上述した特許文献１に記載の電磁接触器では、接点で生じた熱は、Ｃ字状部を介して外部接続部に伝わる。従って、外部接続部を冷却することで、接点を冷却することができる。
【０００５】
しかし、特許文献１に記載の電磁接触器では、外部接続部は、固定端子での熱の伝達経路において接点から最も離れた位置に設けられる。そのため、外部接続部を冷却しても、高い冷却効率を得ることは困難である。
【０００６】
本発明の課題は、リレーにおいて接点の冷却効率を向上させることにある。
【課題を解決するための手段】
【０００７】
一態様に係るリレーは、ケースと、第１固定端子と、第２固定端子と、可動接触片とを備える。第１固定端子は、第１固定接点を含む。第２固定端子は、第２固定接点を含む。可動接触片は、第１可動接点と第２可動接点とを含む。第１可動接点は、第１固定接点に対向して配置される。第２可動接点は、第２固定接点に対向して配置される。可動接触片は、ケース内に配置されている。可動接触片は、第１可動接点及び第２可動接点が第１固定接点及び第２固定接点に対して接触する方向および開離する方向に移動可能に配置される。
【０００８】
第１固定端子は、第１接点支持部と、第１延在部と、第１中間部と、第１外部接続部とを含む。第１接点支持部は、ケース内に配置され、第１固定接点を支持する。第１延在部は、ケース内に配置され、第１方向に延びる。第１方向は、第１可動接点から第２可動接点に向かう方向である。第１外部接続部は、第１延在部に接続され、ケースの外部に配置される。第１中間部は、第１接点支持部と第１延在部とを接続し、第１接点支持部から第１延在部に向かって折り返された形状を有する。第１中間部の少なくとも一部は、ケースの外部に露出するように配置される。
【０００９】
本態様に係るリレーでは、第１中間部の少なくとも一部が、ケースの外部に露出するように配置される。従って、第１中間部のうち外部に露出している部分を冷却することができる。第１中間部は、第１固定端子での熱の伝達経路において第１固定接点と第１外部接続部との間に位置する。そのため、第１中間部を冷却することで、第１外部接続部が冷却される場合よりも、接点を効果的に冷却することができる。それにより、接点の冷却効率を向上させることができる。
【００１０】
第１中間部は、第１平坦面を含んでもよい。第１平坦面は、ケースの外部に露出するように配置されてもよい。この場合、第１平坦面を冷却することで、接点の冷却効率を向上させることができる。
【００１１】
第１平坦面は、ケースの外側面から、外側面に交差する方向に延びていてもよい。この場合、第１平坦面に、外部の冷却体を容易に接触させることができる。それにより、第１中間部を容易に冷却することができる。
【００１２】
第１平坦面は、外部接続部と面一に配置されてもよい。この場合、外部接続部と第１平坦面とを外部回路の共通の基板に容易に接続することができる。そのため、リレーの取付性を向上させることができる。
【００１３】
第１中間部は、ケースの第１外側面から外部に露出していてもよい。第１平坦面は、第１外側面に沿って配置されてもよい。この場合、第１平坦面に、外部の冷却体を容易に接触させることができる。それにより、第１中間部を容易に冷却することができる。
【００１４】
第１固定端子は、第１固定接触片と第１バスバーとを含んでもよい。第１固定接触片は、第１接点支持部を含んでもよい。第１バスバーは、第１延在部を含み、第１固定接触片と別体であってもよい。第１中間部は、第１取付部と第２取付部とを含んでもよい。第１取付部は、固定接触片と一体に形成されてもよい。第２取付部は、第１バスバーと一体に形成され、第１取付部に取り付けられてもよい。第１取付部と第２取付部とは、ケースの外部に露出するように配置されてもよい。この場合、第１取付部と第２取付部とがケースの外部に配置される。そのため、第１取付部と第２取付部との接続、或いは分離が容易である。また、ケースの外部に配置される第１取付部と第２取付部とを、接点を冷却するための部分として利用することができる。
【００１５】
第１延在部は、第１方向において第１固定接点を越える位置まで延びていてもよい。この場合、可動接触片と逆方向に電流が流れる第１延在部の長さが大きい。そのため、第１可動接点が第１固定接点に押し付けられる方向に可動接触片に作用する電磁反発力を増大させることができる。それにより、接点の接触圧を大きく確保することができる。また、第１延在部が長くなると、大きな電磁反発力を得られる一方で、第１固定接点から第１外部接続部までの距離が長くなる。そのため、第１中間部を冷却することで冷却効率を向上することができる効果がより有効となる。
【００１６】
第１延在部は、第１方向において第２固定接点を越える位置まで延びていてもよい。この場合、第１延在部が長くなることで、さらに大きな電磁反発力を得ることができる。また、第１固定接点から第１外部接続部までの距離が長くなるので、第１中間部を冷却することで冷却効率を向上することができる効果がより有効となる。
【００１７】
第１延在部は、ケースに埋め込まれていてもよい。或いは、第１延在部は、ケース内の収納空間に配置されていてもよい。
【００１８】
第２固定端子は、第２接点支持部と、第２延在部と、第２外部接続部と、第２中間部とを含んでもよい。第２接点支持部は、ケース内に配置され、第２固定接点を支持してもよい。第２延在部は、ケース内に配置され、第２方向に延びていてもよい。第２方向は、第２可動接点から第１可動接点に向かう方向である。第２外部接続部は、第２延在部に接続され、ケースの外部に配置されてもよい。第２中間部は、第２接点支持部と第２延在部とを接続してもよい。第２中間部の少なくとも一部は、ケースの外部に露出するように配置されてもよい。この場合、第２中間部の少なくとも一部が、ケースの外部に露出するように配置される。従って、第２中間部のうち外部に露出している部分を冷却することができる。第２中間部は、第２固定端子での熱の伝達経路において第２固定接点と第２外部接続部との間に位置する。そのため、第２中間部を冷却することで、第２外部接続部が冷却される場合よりも、接点を効果的に冷却することができる。それにより、接点の冷却効率を向上させることができる。
【００１９】
第１中間部は、第１平坦面を含んでもよい。第１平坦面は、ケースの外部に露出するように配置されてもよい。第２中間部は、第２平坦面を含んでもよい。第２平坦面は、ケースの外部に露出するように配置されてもよい。第１平坦面と第２平坦面とは同じ高さに位置してもよい。この場合、第１平坦面と第２平坦面とを外部の冷却体によって容易に冷却することができる。
【００２０】
第１平坦面と第２平坦面とは、面一に配置されてもよい。この場合、第１平坦面と第２平坦面とを、共通の基板に設けられた外部の冷却体によって容易に冷却することができる。
【発明の効果】
【００２１】
本発明によれば、リレーにおいて接点の冷却効率を向上させることができる。
【図面の簡単な説明】
【００２２】
【図１】実施形態に係るリレーの斜視図である。
【図２】リレーの斜視図である。
【図３】リレーの断面図である。
【図４】リレーの平面図である。
【図５】リレーの正面図である。
【図６】図５におけるVI−VI断面図である。
【図７】閉状態のリレーにおける電流の流れを示す模式図である。
【図８】第１変形例に係るリレーの一部を示す正面図である。
【図９】第２変形例に係るリレーの一部を示す正面図である。
【図１０】第３変形例に係るリレーの一部を示す正面図である。
【図１１】第４変形例に係るリレーの一部を示す正面図である。
【図１２】第４変形例に係るリレーの取付例を示す図である。
【図１３】第５変形例に係るリレーの一部を示す正面図である。
【図１４】第６変形例に係るリレーの平面図である。
【図１５】第７変形例に係るリレーの一部を示す断面図である。
【図１６】第８変形例に係るリレーの断面図である。
【発明を実施するための形態】
【００２３】
以下、図面を参照して実施形態に係るリレー１について説明する。図１及び図２は実施形態に係るリレー１を示す斜視図である。図３は、リレー１の断面図である。図３に示すように、リレー１は、ケース２と、接点装置３と、駆動装置４とを備える。
【００２４】
ケース２は、接点装置３と駆動装置４とを収容している。ケース２は、絶縁性を有する樹脂で形成されている。ケース２は、ケース本体２ａと蓋部２ｂとを含む。接点装置３と駆動装置４とは、ケース本体２ａ内に配置されている。蓋部２ｂは、ケース本体２ａと別体である。蓋部２ｂは、ケース本体２ａに取り付けられている。
【００２５】
接点装置３は、第１固定端子５と、第２固定端子６と、可動接触片７と、接触片保持部８とを含む。第１固定端子５と、第２固定端子６と、可動接触片７とは、導電性を有する材料で形成されている。第１固定端子５は、第１固定接点１１を含む。第２固定端子６は、第２固定接点１２を含む。第１固定接点１１と第２固定接点１２とは、可動接触片７の長手方向（図３における左右方向）に離れて配置されている。
【００２６】
可動接触片７は、第１可動接点１３と第２可動接点１４とを含む。第１可動接点１３は、第１固定接点１１に対向して配置されている。第２可動接点１４は、第２固定接点１２に対向して配置されている。可動接触片７は、接触方向（Ｚ１）及び開離方向（Ｚ２）に移動可能に配置されている。
【００２７】
接触方向（Ｚ１）は、第１可動接点１３及び第２可動接点１４が第１固定接点１１及び第２固定接点１２に対して接触する方向（図３における下方）である。開離方向（Ｚ２）は、第１可動接点１３及び第２可動接点１４が第１固定接点１１及び第２固定接点１２から開離する方向（図３における上方）である。なお、以下の説明では、第１可動接点１３から第２可動接点１４に向かう方向（図３における右方）を「第１方向（Ｘ１）」と呼ぶ。また、第２可動接点１４から第１可動接点１３に向かう方向（図３における左方）を「第２方向（Ｘ２）」と呼ぶ。
【００２８】
接触片保持部８は、可動接触片７を保持している。接触片保持部８は、駆動軸１５と、ホルダ１６と、接点バネ１７とを含む。駆動軸１５は、可動接触片７の移動方向（Ｚ１，Ｚ２）に延びている。駆動軸１５は、接触方向（Ｚ１）及び開離方向（Ｚ２）に移動可能に配置されている。ホルダ１６は、可動接触片７に接続されており、可動接触片７を保持している。接点バネ１７は、駆動軸１５とホルダ１６との間に配置されている。
【００２９】
第１固定端子５は、第１接点支持部２１と、第１中間部２２と、第１延在部２３と、第１外部接続部２４とを含む。第１接点支持部２１は、第１固定接点１１を支持している。第１接点支持部２１は、ケース２内において、第１固定接点１１から第２方向（Ｘ２）に延びている。
【００３０】
第１中間部２２は、第１接点支持部２１と第１延在部２３とを接続する。第１中間部２２の少なくとも一部は、ケース２の外部に露出するように配置されている。ケース２は、第１外側面２５と第２外側面２６とを含む。第１外側面２５と第２外側面２６とは、可動接触片７の移動方向（Ｚ１，Ｚ２）に延びている。第１中間部２２は、ケース２の第１外側面２５から第２方向（Ｘ２）に突出している。すなわち、第１中間部２２は、ケース２の第１外側面２５から外部に露出している。
【００３１】
第１中間部２２は、第１接点支持部２１から第１延在部２３に向かって折り返された形状を有する。第１中間部２２は、第１平坦面２７を含む。第１平坦面２７は、ケース２の外部に露出するように配置されている。第１平坦面２７は、第１外部接続部２４と平行に配置されている。第１平坦面２７は、ケース２の第１外側面２５から第２方向（Ｘ２）に延びている。
【００３２】
第１延在部２３は、可動接触片７に対して開離方向（Ｚ２）に離れて配置されている。第１延在部２３は、平坦な板状の形状を有している。第１延在部２３は、第１方向（Ｘ１）に延びている。第１延在部２３は、第１中間部２２から第１方向（Ｘ１）に、第１固定接点１１及び第２固定接点１２を越える位置まで延びている。第１延在部２３は、第１方向（Ｘ１）においてケース２の幅全体に亘って延びている。
【００３３】
第１外部接続部２４は、第１延在部２３に接続されており、ケース２の第２外側面２６から第１方向（Ｘ１）に突出している。第１外部接続部２４は、リレー１が取り付けられる外部回路に接続される部分である。第１外部接続部２４は、第１延在部２３と一体的に形成されている。ただし、第１外部接続部２４は、第１延在部２３と別体であってもよい。第１外部接続部２４は、平坦な板状の形状を有している。
【００３４】
本実施形態では、第１固定端子５は、第１固定接触片２８と第１バスバー２９とを含む。第１バスバー２９と第１固定接触片２８とは、互いに別体である。第１バスバー２９は、第１固定接触片２８に接続されている。第１固定接触片２８は、第１固定接点１１から第２方向（Ｘ２）に延びている。第１固定接触片２８の端部は、ケース２の外方に突出している。第１固定接触片２８の端部は、ケース２の外部において第１バスバー２９と接続されている。
【００３５】
第１固定接触片２８は、例えば溶接によって第１バスバー２９に接続される。ただし、第１固定接触片２８は、他の固定方法によって第１バスバー２９に接続されてもよい。例えば、第１固定接触片２８は、ネジによって第１バスバー２９に接続されてもよい。或いは、第１固定接触片２８は、第１バスバー２９と一体的に形成されてもよい。
【００３６】
第１固定接触片２８は、上述した第１接点支持部２１を含む。第１バスバー２９は、上述した第１延在部２３と第１外部接続部２４とを含む。第１中間部２２は、第１固定接触片２８に含まれる第１取付部２２ａと、第１バスバー２９に含まれる第２取付部２２ｂとを含む。第１取付部２２ａは、第１固定接触片２８において第１接点支持部２１と一体に形成されている。第２取付部２２ｂは、第１バスバー２９において第１延在部２３と一体に形成されている。ただし、第１取付部２２ａは、第１接点支持部２１と別体であってもよい。第２取付部２２ｂは、第１延在部２３と別体であってもよい。第１取付部２２ａと第２取付部２２ｂとは、ケース２の外部に露出するように配置されている。
【００３７】
図２に示すように、第１取付部２２ａは、第１バスバー２９に向かって屈曲した形状を有している。第２取付部２２ｂは、第１取付部２２ａから第１延在部２３に向かって屈曲した形状を有している。第２取付部２２ｂは、第１取付部２２ａに接続されている。例えば、第２取付部２２ｂは、溶接によって第１取付部２２ａに接続されている。ただし、第２取付部２２ｂは、他の固定方法によって、第１取付部２２ａに接続されてもよい。例えば、第２取付部２２ｂは、ネジによって、第１取付部２２ａに接続されてもよい。
【００３８】
第２固定端子６は、第１固定端子５と対称な形状を有している。第２固定端子６は、第２接点支持部３１と、第２中間部３２と、第２延在部３３と、第２外部接続部３４とを含む。第２接点支持部３１は、第２固定接点１２を支持している。第２接点支持部３１は、ケース２内において、第２固定接点１２から第１方向（Ｘ１）に延びている。
【００３９】
第２中間部３２は、第２接点支持部３１と第２延在部３３とを接続する。第２中間部３２の少なくとも一部は、ケース２の外部に露出するように配置されている。第２中間部３２は、ケース２の第２外側面２６から第１方向（Ｘ１）に突出している。すなわち、第２中間部３２は、ケース２の第２外側面２６から外部に露出している。
【００４０】
第２中間部３２は、第２接点支持部３１から第２延在部３３に向かって折り返された形状を有する。第２中間部３２は、第２平坦面３７を含む。第２平坦面３７は、ケース２の外部に露出するように配置されている。第２平坦面３７は、第２外部接続部３４と平行に配置されている。第２平坦面３７は、ケース２の第２外側面２６から第１方向（Ｘ１）に延びている。
【００４１】
第２延在部３３は、可動接触片７に対して開離方向（Ｚ２）に離れて配置されている。第２延在部３３は、平坦な板状の形状を有している。第２延在部３３は、第２方向（Ｘ２）に延びている。第２延在部３３は、第２中間部３２から第２方向（Ｘ２）に、第２固定接点１２及び第１固定接点１１を越える位置まで延びている。第２延在部３３は、第２方向（Ｘ２）においてケース２の幅全体に亘って延びている。
【００４２】
第２外部接続部３４は、第２延在部３３に接続されており、ケース２の第１外側面２５から第２方向（Ｘ２）に突出している。第２外部接続部３４は、外部回路に接続される部分である。第２外部接続部３４は、第２延在部３３と一体的に形成されている。ただし、第２外部接続部３４は、第２延在部３３と別体であってもよい。第２外部接続部３４は、平坦な板状の形状を有している。
【００４３】
本実施形態では、第２固定端子６は、第２固定接触片３８と第２バスバー３９とを含む。第２バスバー３９は、第２固定接触片３８と別体である。第２バスバー３９は、第２固定接触片３８に接続されている。第２固定接触片３８は、第２固定接点１２から第１方向（Ｘ１）に延びている。第２固定接触片３８の端部は、ケース２の外方に突出している。第２固定接触片３８の端部は、ケース２の外部において第２バスバー３９と接続されている。
【００４４】
第２固定接触片３８は、例えば溶接によって第２バスバー３９に接続される。ただし、第２固定接触片３８は、他の固定方法によって第２バスバー３９に接続されてもよい。例えば、第２固定接触片３８は、ネジによって第２バスバー３９に接続されてもよい。或いは、第２固定接触片３８は、第２バスバー３９と一体的に形成されてもよい。
【００４５】
第２固定接触片３８は、上述した第２接点支持部３１を含む。第２バスバー３９は、上述した第２延在部３３と第２外部接続部３４とを含む。第２中間部３２は、第２固定接触片３８に含まれる第１取付部３２ａと、第２バスバー３９に含まれる第２取付部３２ｂとを含む。第１取付部３２ａは、第２固定接触片３８において第２接点支持部３１と一体に形成されている。第２取付部３２ｂは、第２バスバー３９において第２延在部３３と一体に形成されている。ただし、第１取付部３２ａは、第２接点支持部３１と別体であってもよい。第２取付部３２ｂは、第２延在部３３と別体であってもよい。第１取付部３２ａと第２取付部３２ｂとは、ケース２の外部に露出するように配置されている。
【００４６】
第１取付部３２ａは、第２バスバー３９に向かって屈曲した形状を有している。第１取付部３２ａは、第２取付部３２ｂに接続されている。第２取付部３２ｂは、第１取付部３２ａから第２延在部３３に向かって屈曲した形状を有している。例えば、第１取付部３２ａは、溶接によって第２取付部３２ｂに接続されている。ただし、第１取付部３２ａは、他の固定方法によって、第２取付部３２ｂに接続されてもよい。例えば、第１取付部３２ａは、ネジによって、第２取付部３２ｂに接続されてもよい。
【００４７】
図６は、図５におけるVI−VI断面図である。図６に示すように、第１延在部２３と第２延在部３３とは、ケース２内に埋め込まれている。詳細には、第１延在部２３と第２延在部３３とは、蓋部２ｂ内に埋め込まれている。
【００４８】
図４に示すように、可動接触片７の移動方向（Ｚ１，Ｚ２）から見て、第１延在部２３の一部は、可動接触片７と重なっている。可動接触片７の移動方向（Ｚ１，Ｚ２）から見て、第２延在部３３の一部は、可動接触片７と重なっている。
【００４９】
可動接触片７の移動方向（Ｚ１，Ｚ２）を高さ方向として、第１延在部２３と第２延在部３３とは同じ高さに配置されている。第１延在部２３と第２延在部３３とは、面一に配置されている。可動接触片７の移動方向（Ｚ１，Ｚ２）を高さ方向として、第１外部接続部２４と第２外部接続部３４とは同じ高さに配置されている。第１外部接続部２４と第２外部接続部３４とは、面一に配置される。可動接触片７の移動方向（Ｚ１，Ｚ２）を高さ方向として、第１平坦面２７と第２平坦面３７とは、同じ高さに配置されている。第１平坦面２７と第２平坦面３７とは、面一に配置されている。
【００５０】
次に駆動装置４について説明する。駆動装置４は、可動接触片７を動作させる駆動力を発生させる。駆動装置４は、電磁力によって可動接触片７を動作させる。駆動装置４は、コイル４１と、スプール４２と、鉄心４３と、復帰バネ４４と、ヨーク４５とを含む。
【００５１】
コイル４１は、スプール４２に巻回されている。コイル４１及びスプール４２は、駆動軸１５と同軸に配置されている。コイル４１は、図６に示すコイル端子４６に接続されている。図６に示すように、コイル端子４６の先端は、コネクタ４７内に配置されている。
【００５２】
スプール４２は、スプール４２の軸線方向に貫通する孔４２ａを含む。鉄心４３と復帰バネ４４とは、スプール４２の孔４２ａに挿入されている。鉄心４３は、固定鉄心４３ａと可動鉄心４３ｂとを含む。固定鉄心４３ａは、第２ヨーク４５ｂ、スプール４２、或いはケース２に固定されている。ヨーク４５は、鉄心４３に接続されている。
【００５３】
ヨーク４５は、第１ヨーク４５ａと第２ヨーク４５ｂとを含む。第１ヨーク４５ａは、接点装置３とスプール４２との間に配置されている。第２ヨーク４５ｂは、第１ヨーク４５ａに接続されている。第２ヨーク４５ｂは、Ｕ字状の形状を有している。第２ヨーク４５ｂは、コイル４１の両側方と、コイル４１に対して第１ヨーク４５ａの反対側とに配置されている。第１ヨーク４５ａは、鉄心４３の一端に接続されている。第２ヨーク４５ｂは、鉄心４３の他端に接続されている。
【００５４】
鉄心４３は、固定鉄心４３ａと可動鉄心４３ｂとを含む。固定鉄心４３ａは、第２ヨーク４５ｂに固定されている。可動鉄心４３ｂは、固定鉄心４３ａと別体である。可動鉄心４３ｂは、接触方向（Ｚ１）及び開離方向（Ｚ２）に移動可能に配置されている。可動鉄心４３ｂは、駆動軸１５に接続されている。復帰バネ４４は、可動鉄心４３ｂと固定鉄心４３ａとの間に配置されている。復帰バネ４４は、可動鉄心４３ｂを開離方向（Ｚ２）に付勢している。
【００５５】
次に、リレー１の動作について説明する。コイル４１に電圧が印加されていないときには、可動鉄心４３ｂと共に、駆動軸１５は、復帰バネ４４の弾性力によって開離方向（Ｚ２）に押圧されている。そのため、可動接触片７も開離方向（Ｚ２）に押圧されており、第１可動接点１３及び第２可動接点１４は、第１固定接点１１及び第２固定接点１２から開離した開状態となっている。
【００５６】
コイル４１に電圧が印加されて励磁されると、可動鉄心４３ｂが、復帰バネ４４の弾性力に抗して、接触方向（Ｚ１）に移動する。これにより、駆動軸１５及び可動接触片７が接触方向（Ｚ１）に移動することで、第１可動接点１３及び第２可動接点１４が、第１固定接点１１及び第２固定接点１２に接触した閉状態となる。この閉状態において、第１固定端子５から可動接触片７を通って第２固定端子６に電流が流れる。
【００５７】
図７は、閉状態での電流Ｉの流れを示す図である。図７に示すように、電流Ｉは、第１外部接続部２４から、第１延在部２３、第１中間部２２、第１接点支持部２１、第１固定接点１１、及び第１可動接点１３を通り、可動接触片７へ流れる。電流Ｉは、可動接触片７から、第２可動接点１４、第２固定接点１２、第２接点支持部３１、第２中間部３２、及び第２延在部３３を通り、第２外部接続部３４へ流れる。
【００５８】
本実施形態に係るリレー１では、第１延在部２３は、第１可動接点１３から第２可動接点１４に向かう第１方向（Ｘ１）に延びており、第１延在部２３に接続された第１外部接続部２４は、ケース２から第１方向（Ｘ１）に突出している。第１延在部２３には、可動接触片７と逆方向に電流Ｉが流れる。従って、第１固定端子５において、可動接触片７と逆方向に電流Ｉが流れる区間を大きく確保することができる。それにより、可動接触片７に作用する電磁反発力を増大させることができる。
【００５９】
また、第２延在部３３は、第２可動接点１４から第１可動接点１３に向かう第２方向（Ｘ２）に延びており、第２延在部３３に接続された第２外部接続部３４は、ケース２から第２方向（Ｘ２）に突出している。第２延在部３３には、可動接触片７と逆方向に電流Ｉが流れる。従って、第２固定端子６において、可動接触片７と逆方向に電流Ｉが流れる区間を大きく確保することができる。それにより、可動接触片７に作用する電磁反発力をさらに増大させることができる。
【００６０】
以上のように、本実施形態に係るリレーでは、第１延在部２３と第２延在部３３とに、可動接触片７と逆方向に電流が流れることで、可動接触片７に作用する電磁反発力を増大させることができる。それにより、第１可動接点１３と第１固定接点１１との間の接圧と、第２可動接点１４と第２固定接点１２との間の接圧と高めることができる。
【００６１】
本実施形態に係るリレー１では、第１固定端子５の第１中間部２２の少なくとも一部が、ケース２の外部に露出するように配置される。従って、第１中間部２２のうち外部に露出している部分を冷却することができる。第１中間部２２は、第１固定端子５での熱の伝達経路において第１固定接点１１と第１外部接続部２４との間に位置する。そのため、第１中間部２２を冷却することで、第１外部接続部２４が冷却される場合よりも、接点を効果的に冷却することができる。それにより、接点の冷却効率を向上させることができる。
【００６２】
第１中間部２２の第１平坦面２７が、ケース２の外部に露出するように配置されている。そのため、第１平坦面２７を冷却することで、接点の冷却効率を向上させることができる。
【００６３】
第１平坦面２７は、ケース２の第１外側面２５から第２方向（Ｘ２）に延びていている。そのため、第１平坦面２７に、外部の冷却体を容易に接触させることができる。それにより、第１中間部２２を容易に冷却することができる。
【００６４】
第１固定接触片２８の第１取付部２２ａと第１バスバー２９の第２取付部２２ｂとが、ケース２の外部に露出するように配置されている。従って、第１固定接触片２８と第１バスバー２９の接続、或いは分離が容易である。また、ケース２の外部に配置される第１取付部２２ａと第２取付部２２ｂとを、接点を冷却するための部分として利用することができる。
【００６５】
第１延在部２３は、第１方向（Ｘ１）において第１固定接点１１及び第２固定接点１２を越える位置まで延びている。そのため、上述したように、可動接触片７に作用する電磁反発力を増大させることができ、接点の接触圧を大きく確保することができる。また、第１延在部２３が長くなると、大きな電磁反発力を得られる一方で、第１固定接点１１から第１外部接続部２４までの距離が長くなる。そのため、第１中間部２２を冷却することで冷却効率を向上することができる効果がより有効となる。
【００６６】
第２固定端子６の第２中間部３２の少なくとも一部が、ケース２の外部に露出するように配置される。従って、第２中間部３２についても、上述した第１中間部２２と同様の効果を得ることができる。
【００６７】
第１中間部２２の第１平坦面２７と、第２中間部３２の第２平坦面３７とは同じ高さに配置される。また、第１平坦面２７と第２平坦面３７とは、面一に配置されている。そのため、第１平坦面２７と第２平坦面３７とを外部の冷却体によって容易に冷却することができる。例えば、第１平坦面２７と第２平坦面３７とを、共通の基板に取り付けられた外部の冷却体に容易に接触させることができる。
【００６８】
以上、本発明の一実施形態について説明したが、本発明は上記実施形態に限定されるものではなく、発明の要旨を逸脱しない範囲で種々の変更が可能である。例えば、駆動装置４の構成が変更されてもよい。コイル４１、スプール４２、鉄心４３、復帰バネ４４、或いはヨーク４５の形状、或いは配置が変更されてもよい。ケース２の形状、或いは配置が変更されてもよい。
【００６９】
第１固定端子５、第２固定端子６、可動接触片７の形状、或いは配置が変更されてもよい。例えば、第１固定端子５と第２固定端子６との配置は、上記の実施形態のものに限らず、互いに入れ替わってもよい。
【００７０】
上記の実施形態では、駆動装置４が駆動軸１５をコイル４１側に引き込むことで、可動接触片７が接触方向（Ｚ１）に移動する。また、駆動装置４が駆動軸１５をコイル４１側から押し出すことで、可動接触片７が開離方向（Ｚ２）に移動する。しかし、駆動装置４が駆動軸１５をコイル４１側に引き込むことで、可動接触片７が開離方向（Ｚ２）に移動してもよい。駆動装置４が駆動軸１５をコイル４１側から押し出すことで、可動接触片７が接触方向（Ｚ１）に移動してもよい。
【００７１】
上記の実施形態では、第１延在部２３と第２延在部３３とが設けられている。しかし、第２延在部３３が省略されてもよい。すなわち、第２固定端子６において、上述した第２バスバー３９が省略されてもよい。図８は、第１変形例に係るリレー１の一部を示す正面図である。図８に示すように、第２固定端子６の第２固定接触片３８が、第２接点支持部３１と第２外部接続部３４とを含んでもよい。
【００７２】
第１中間部２２、或いは第２中間部３２の形状が変更されてもよい。図９は、第２変形例に係るリレー１の一部を示す正面図である。図９に示すように、第１平坦面２７は、可動接触片７の移動方向（Ｚ１，Ｚ２）に伸びていてもよい。或いは、図１０は、第３変形例に係るリレー１の一部を示す正面図である。図１０に示すように、第１平坦面２７は、第１外側面２５に沿って配置されてもよい。
【００７３】
図１１は、第４変形例に係るリレー１の一部を示す正面図である。図１１に示すように、第１平坦面２７は、第１外部接続部２４と面一に配置されてもよい。この場合、図１２に示すように、外部回路の基板２００上に設けられるパスバー２０１及び冷却体２０２と同じ高さに、第１平坦面２７と第１外部接続部２４とを配置することができる。それにより、外部回路の基板２００へのリレー１の取付性を向上させることができる。
【００７４】
第１中間部２２は、ケース２において第１外側面２５と異なる他の部分から外部に露出するように配置されてもよい。図１３は、第５変形例に係るリレー１の一部を示す正面図である。図１３に示すように、ケース２は、第３外側面５１を含む。第３外側面５１は、第１外側面２５と第２外側面２６とを接続している。第３外側面５１は、第１方向（Ｘ１）及び第２方向（Ｘ２）に沿って配置される。第１中間部２２は、ケース２において第３外側面５１から外部に露出するように配置されてもよい。この場合、上述した第１中間部２２の第１平坦面２７は、第３外側面５１に交差する方向に第３外側面５１から延びていてもよい。或いは、第１中間部２２の第１平坦面２７は、第３外側面５１に沿って配置されてもよい。
【００７５】
図１４は、第６変形例に係るリレー１の一部を示す平面図である。図１４に示すように、ケース２は、第４外側面５２を含む。第４外側面５２は、第３外側面５１の反対側に配置されており、第１外側面２５と第２外側面２６とを接続している。第４外側面５２は、第１方向（Ｘ１）及び第２方向（Ｘ２）に沿って配置される。第１中間部２２は、ケース２において第３外側面５１から外部に露出するように配置されてもよい。第２中間部３２は、ケース２において第４外側面５２から外部に露出するように配置されてもよい。
【００７６】
この場合、上述した第１中間部２２の第１平坦面２７は、第３外側面５１に交差する方向に第３外側面５１から延びていてもよい。或いは、第１平坦面２７は、第３外側面５１に沿って配置されてもよい。また、第２中間部３２の第２平坦面３７は、第４外側面５２に交差する方向に第４外側面５２から延びていてもよい。或いは、第２平坦面３７は、第４外側面５２に沿って配置されてもよい。
【００７７】
図１５は、第７変形例に係るリレー１の一部を示す断面図である。図１５に示すように、第１外部接続部２４は、第１延在部２３と別体の端子であってもよい。第１接点支持部と第１中間部２２と第１延在部２３とは一体的に形成されてもよい。第２外部接続部は、第２延在部３３と別体の端子であってもよい。第２接点支持部３１と第２中間部３２と第２延在部３３とは一体的に形成されてもよい。
【００７８】
上記の実施形態では、第１延在部２３と第２延在部３３とは、ケース２の蓋部２ｂに埋め込まれている。しかし、第１延在部２３と第２延在部３３とは、ケース２の他の部分に埋め込まれてもよい。或いは、図１６は、第８変形例に係るリレー１の断面図である。図１６に示すように、第１延在部２３と第２延在部３３とは、ケース２内の収容空間に配置されてもよい。
【産業上の利用可能性】
【００７９】
本発明によれば、リレーにおいて接点の冷却効率を向上させることができる。
【符号の説明】
【００８０】
２      ケース
５      第１固定端子
６      第２固定端子
７      可動接触片
１１    第１固定接点
１２    第２固定接点
１３    第１可動接点
１４    第２可動接点
２１    第１接点支持部
２２    第１中間部
２３    第１延在部
２４    第１外部接続部
２７    第１平坦面
３１    第２接点支持部
３２    第２中間部
３３    第２延在部
３４    第２外部接続部
３７    第２平坦面
【図１】
2019179691.tif 000003
【図２】
2019179691.tif 000004
【図３】
2019179691.tif 000005
【図４】
2019179691.tif 000006
【図５】
2019179691.tif 000007
【図６】
2019179691.tif 000008
【図７】
2019179691.tif 000009
【図８】
2019179691.tif 000010
【図９】
2019179691.tif 000011
【図１０】
2019179691.tif 000012
【図１１】
2019179691.tif 000013
【図１２】
2019179691.tif 000014
【図１３】
2019179691.tif 000015
【図１４】
2019179691.tif 000016
【図１５】
2019179691.tif 000017
【図１６】
2019179691.tif 000018